(57)【要約】【課題】【解決手段】本発明は、少なくとも１つの操作者固有の特性量および／または少なくとも１つの環境固有の特性量を検出するための少なくとも１つのセンサユニット（１２）を有する安全衣類を前提とする。安全衣類は少なくとも１つの通信ユニット（１４）を有しており、該通信ユニットにより、検出された操作者固有の特性量および／または検出された環境固有の特性量を少なくとも１つの別の安全衣類（１６）へ当該別の安全衣類（１６）との通信のために伝送可能であることが提案される。【選択図】図１
2018502998.tif 000002
【特許請求の範囲】
【請求項１】
少なくとも１つの操作者固有の特性量および／または少なくとも１つの環境固有の特性量を検出するための少なくとも１つのセンサユニット（１２）を有する安全衣類において、少なくとも１つの通信ユニット（１４）を有しており、該通信ユニットにより、検出された操作者固有の特性量および／または検出された環境固有の特性量を少なくとも１つの別の安全衣類（１６）へ当該別の安全衣類（１６）との通信のために伝送可能であることを特徴とする安全衣類。
【請求項２】
前記通信ユニット（１４）は安全衣類とは別様に構成された外部ユニット（１８）と電子データの交換のために通信するために意図されることを特徴とする、請求項１に記載の安全衣類。
【請求項３】
検出された操作者固有の特性量、検出された環境固有の特性量に依存して、および／または前記通信ユニット（１４）により受信されたデータに依存して情報を出力するために意図される少なくとも１つの出力ユニット（２０）を有していることを特徴とする、請求項１または２に記載の安全衣類。
【請求項４】
前記出力ユニット（２０）により、前記通信ユニット（１４）により受信されたデータに少なくとも依存する作業指図を少なくとも出力可能であることを特徴とする、先行請求項のうちいずれか１項に記載の安全衣類。
【請求項５】
別の安全衣類（１６）との通信に少なくとも依存して安全衣類組合せを評価するために意図される少なくとも１つの評価ユニット（２２）を有していることを特徴とする、先行請求項のうちいずれか１項に記載の安全衣類。
【請求項６】
前記センサユニット（１２）の環境検出センサ素子（２４）、特にカメラに少なくとも依存して、検出された環境を作業指図の可能化のために評価するために意図される少なくとも１つの評価ユニット（２２）を有していることを特徴とする、先行請求項のうちいずれか１項に記載の安全衣類。
【請求項７】
少なくとも操作者固有の制御コマンドを入力するための少なくとも１つの入力ユニット（２６）を有しており、操作者固有の制御コマンドは特に手動工作機械のような外部ユニット（１８）を制御するために前記通信ユニット（１４）によって前記外部ユニット（１８）へ伝送可能であることを特徴とする、先行請求項のうちいずれか１項に記載の安全衣類。
【請求項８】
前記入力ユニット（２６）は少なくとも１つのジェスチャー制御機能および／または音声制御機能を有していることを特徴とする、請求項７に記載の安全衣類。
【請求項９】
少なくとも検出された操作者固有の特性量に依存して、検出された環境固有の特性量に依存して、および／または前記通信ユニット（１４）により受信されたデータに依存して制御可能な少なくとも１つのアクチュエータユニット（２８）を有していることを特徴とする、先行請求項のうちいずれか１項に記載の安全衣類。
【請求項１０】
前記アクチュエータユニット（２８）は危険状況の認識の結果として着用者へ能動的に働きかけるために少なくとも意図されることを特徴とする、請求項９に記載の安全衣類。
【請求項１１】
作業領域を照明するための少なくとも１つの照明ユニット（３０）を有しており、前記照明ユニット（３０）は少なくとも検出された操作者固有の特性量に依存して、検出された環境固有の特性量に依存して、および／または前記通信ユニット（１４）により受信されたデータに依存して制御可能であることを特徴とする、先行請求項のうちいずれか１項に記載の安全衣類。
【請求項１２】
少なくとも１つの情報を地面へ投影するために意図される少なくとも１つの投影ユニット（３２）を有しており、前記投影ユニット（３２）は少なくとも検出された操作者固有の特性量に依存して、検出された環境固有の特性量に依存して、および／または前記通信ユニット（１４）により受信されたデータに依存して制御可能であることを特徴とする、先行請求項のうちいずれか１項に記載の安全衣類。
【請求項１３】
前記センサユニット（１２）は着用者の少なくとも１つの目特性量を検出するために意図される少なくとも１つの目センサ素子（３４）を有しており、目特性量は前記通信ユニット（１４）により前記別の安全衣類（１６）および／または外部ユニット（１８）へ伝送可能であることを特徴とする、先行請求項のうちいずれか１項に記載の安全衣類。
【請求項１４】
外部ユニット（１８）の、特に手動工作機械の取扱に依存して少なくとも前記センサユニット（１２）および前記通信ユニット（１４）にエネルギーを供給するために意図される少なくとも１つのエネルギー供給ユニット（３６）を有していることを特徴とする、先行請求項のうちいずれか１項に記載の安全衣類。
【請求項１５】
先行請求項のうちいずれか１項に記載の少なくとも１つの安全衣類、および少なくとも１つの別の安全衣類（１６）、および／または安全衣類が電子データの交換のために安全衣類の通信ユニット（１４）によって通信する少なくとも１つの外部ユニット（１８）を有している安全システム。
【請求項１６】
安全衣類の前記センサユニット（１２）は少なくとも１つのポジションセンサ素子（４０）を有しており、前記外部ユニット（１８）は前記ポジションセンサ素子（４０）により検出されるポジション特性量に少なくとも依存して安全衣類の着用者の危険状況を少なくとも評価するために意図される少なくとも１つの危険認識機能を有していることを特徴とする、請求項１５に記載の安全システム。
【請求項１７】
少なくとも１つの前記外部ユニット（１８）は、作業領域や空間への安全衣類および／または別の安全衣類（１６）の着用者のアクセスを監視し、解放し、または封鎖するために意図される少なくとも１つのアクセスコントロール機能を有していることを特徴とする、請求項１５または１６に記載の安全システム。
【請求項１８】
少なくとも１つの前記外部ユニット（１８）は、安全規則および／または操業領域規則に依存して作業領域上および／または作業出動上の安全衣類組合せを監視するために意図される少なくとも１つの衣類監視機能を有していることを特徴とする、請求項１５から１７のいずれか１項に記載の安全システム。
【請求項１９】
少なくとも１つの前記外部ユニット（１８）は手動工作機械または会社センターとして構成されることを特徴とする、請求項１５から１８のいずれか１項に記載の安全システム。
【請求項２０】
請求項１５から１９のいずれか１項に記載の安全システムで使用するための目防護装置、特に安全眼鏡または安全バイザーであって、少なくとも１つの手動工作機械と通信するために意図される、電子データを交換するための少なくとも１つの通信ユニット（９４）と、前記通信ユニット（９４）により受信されたデータに依存して情報を出力するために意図される少なくとも１つの出力ユニット（９６）とを有している、そのような目防護装置において、前記通信ユニット（９４）は手動工作機械とは相違する外部ユニット（１８）と少なくとも通信するために意図されることを特徴とする目防護装置。
【請求項２１】
前記通信ユニット（９４）は、モバイルデバイスと電子データを交換するために、モバイルデバイスとして構成された外部ユニット（１８）と通信するために少なくとも意図されることを特徴とする、請求項２０に記載の目防護装置。
【請求項２２】
前記通信ユニット（９４）は、充電装置により充電可能な少なくとも１つの蓄電池の少なくとも１つの充電特性量を受信するために、充電装置として構成された外部ユニット（１８）と通信するために少なくとも意図されることを特徴とする、少なくとも請求項２０に記載の目防護装置。
【請求項２３】
前記通信ユニット（９４）は、少なくともプロジェクトデータを受信するために、会社センターとして構成される外部ユニット（１８）と通信するために少なくとも意図されることを特徴とする、少なくとも請求項２０に記載の目防護装置。
【請求項２４】
請求項１５から１９のいずれか１項に記載の安全システムを作動させる方法。
【発明の詳細な説明】
【技術分野】
【０００１】
少なくとも１つの操作者固有の特性量および／または少なくとも１つの環境固有の特性量を検出するためのセンサユニットを有する安全衣類がすでに知られている。
【背景技術】
【０００２】
本発明は、少なくとも１つの操作者固有の特性量および／または少なくとも１つの環境固有の特性量を検出するための少なくとも１つのセンサユニットを有する安全衣類を前提とする。
【発明の概要】
【０００３】
安全衣類は少なくとも１つの通信ユニットを含んでおり、該通信ユニットにより、検出された操作者固有の特性量および／または検出された環境固有の特性量を、少なくとも１つの別の安全衣類へ別の安全衣類との通信のために伝送可能であることが提案される。このとき通信ユニットは、検出された操作者固有の特性量および／または検出された環境固有の特性量が、安全衣類に追加して安全衣類の着用者により着用される少なくとも１つの別の安全衣類へ伝送されるために、または、安全衣類の近い周辺にあり、たとえば別の着用者により着用される別の安全衣類へ伝送されるために意図されることが考えられる。１つ／複数のセンサユニットおよび／または通信ユニットは、取外し可能なモジュールとして構成されるのが好ましい。そのようにして、センサユニットおよび／または通信ユニットの交換を行うことができ、あるいは、それまでセンサおよび／または通信ユニットのない安全衣類に後付けすることができるという利点がある。さらに、モジュールを安全衣類から切り離して作動可能であることが考えられる。そのようにして、多種多様な対象物へのモジュールの装備を行うことができるという利点がある。このときさらに、モジュールはセンサユニットおよび／または通信ユニットに追加して当業者に有意義と思われる別のユニット、たとえば出力ユニット、入力ユニット、評価ユニット、投影ユニット、照明ユニットなども含んでいることが考えられる。
【０００４】
「操作者固有の特性量」とは、ここでは特に、安全衣類の着用者に作用する、および／または安全衣類の着用者の行動に依存する、安全衣類の着用者の少なくとも１つの生体値を定義する特性量、たとえば安全衣類に対する安全衣類の着用者の力作用の方向および／または場所を意味するものとする。このとき操作者固有の特性量は、操作者固有の安全衣類負荷形式、着用者負荷、たとえば騒音負荷および／または振動負荷、安全衣類の着用者の脈拍、安全衣類の着用者の体温、安全衣類の着用者の疲労特性量、着用者姿勢特性量、運動特性量、または当業者に有意義と思われるその他の操作者固有の特性量として構成されていてよい。「環境固有の特性量」とは、ここでは特に、安全衣類を取り囲む環境を定義する特性量を意味するものとする。このとき環境固有の特性量は、環境圧力、環境温度、環境音響レベル、環境ガス特性量、環境電圧特性量、環境湿度特性量、環境酸特性量および／または環境塩基特性量、または当業者に有意義と思われるその他の環境特性量として構成されていてよい。
【０００５】
「安全衣類」という概念は、ここでは特に、少なくとも１つのパッシブな防護ユニットを有し、特に、着用者により作業工程中に着用されるために特別に意図される衣類を定義するものとする。「パッシブな防護ユニット」とは、ここでは特に、少なくとも機械的および／または電気的な負荷に対して着用者をパッシブに防護するために意図される防護ユニットを意味するものとする。このように安全衣類は、作業上着、作業ベスト、特に警告ベスト、作業ズボン、作業靴、安全ヘルメット、安全眼鏡、作業手袋、作業ベルトなどとして構成されていてよい。安全衣類は、入射する光線を反射するための少なくとも１つの反射ユニットを含んでいるのが好ましい。さらに安全衣類のセンサユニットは、少なくとも１つのポジション特性量、特に少なくとも１つのグローバルなポジション特性量および／または少なくとも１つの相対的な作業領域ポジション特性量を検出するために意図される少なくとも１つのポジションセンサ素子を含んでいる。そのためにセンサユニットは、ＧＰＳセンサ素子として構成された少なくとも１つのポジションセンサ素子を含んでいるのが好ましく、これにより安全衣類のグローバルなポジションを検出可能である。しかしながらセンサユニットが、当業者に有意義と思われるその他のポジションセンサ素子、たとえばコンパス・ポジションセンサ素子、ガリレオ・ポジションセンサ素子、ＧＬＯＮＡＳＳポジションセンサ素子、北斗ポジションセンサ素子などを、グローバルなポジションとして構成されるポジション特性量の検出のために有することも考えられる。さらにセンサユニットは、たとえばＷＬＡＮネットワークや携帯電話ネットワークを通じた進行時間測定により作業領域内での安全衣類の相対的なポジション認識を可能にするために意図される、作業領域ポジションセンサ素子として、たとえばｉＢｅａｃｏｎ測位素子として構成された少なくとも１つのセンサ素子を有しているのが好ましい。このようにして、たとえば非常事態のときに安全衣類およびこれに伴う安全衣類の着用者の信頼度の高い位置特定を可能にする、安全衣類のポジションの検出を実現できるという利点がある。このとき、少なくとも１つのポジション特性量の検出は、危険状況が認識されたときに初めて行われることが考えられる。それに応じて、少なくとも１つのポジション特性量の検出は、危険状況が存在していない間は不作動化されることが考えられる。
【０００６】
通信ユニットは、ケーブルレス式の通信ユニットとして構成されるのが好ましい。このとき通信ユニットはＷＬＡＮ通信ユニット、ブルートゥース通信ユニット、無線通信ユニット、ＲＦＩＤ通信ユニット、ＮＦＣユニット、赤外通信ユニット、移動無線網通信ユニット、Ｚｉｇｂｅｅ通信ユニットなどとして構成されていてよい。通信ユニットは、双方向データ伝送のために意図されるのが特別に好ましい。別案の実施形態では、通信ユニットはケーブル式の通信ユニットとして構成され、たとえばＬＡＮ通信ユニット、ＵＳＢ通信ユニット、Ｐｏｗｅｒｌｉｎｅ通信ユニット、ＣＡＮ−Ｂｕｓ通信ユニット、イーサネット通信ユニット、ツイストペアケーブル通信ユニット（ＣＡＴ５またはＣＡＴ６）などとして構成される。しかしながら、通信ユニットがケーブルレス式またはケーブル式の通信の代替として、ケーブルレス式およびケーブル式の通信をするために意図されることも考えられる。「伝送する」という概念は、ここでは特にデータの、特に電子データの、送信および／または受信を定義するものとする。
【０００７】
安全衣類の本発明に基づく構成により、異なる安全衣類の相互の通信を可能にできるという利点があり、そのようにして、特別に好ましく高い作業快適性および／または着用快適性を可能にする。たとえば、少なくとも１つの快適性機能がセンサデータを用いて、または安全衣類および別の安全衣類の通信を用いて監視され、センサデータに応じて、または通信に応じて適合化されることによって、高い着用快適性を実現できるという利点がある。さらに、個々の安全衣類相互の通信の結果として危険状況を認識し、１つの安全衣類／複数の安全衣類の着用者を危険に対して警告および／または防護できるという利点がある。このように、高度の着用者安全性および／または着用者快適性を提供することができる安全衣類を提供できるという特別な利点がある。
【０００８】
さらに、通信ユニットは、安全衣類とは別様に構成された外部ユニットと電子データの交換のために通信するために意図されることが提案される。このように、少なくとも１つの外部ユニットと、特に安全衣類とは別様に構成された少なくとも１つの外部ユニットと、電子データの交換のために通信するために意図される、少なくとも１つの操作者固有の特性量および／または少なくとも１つの環境固有の特性量を検出するための少なくとも１つのセンサユニットと、少なくとも１つの通信ユニットとを有する安全衣類も考えられる。外部ユニットはスマートフォン、パーソナルコンピュータ、ラップトップ、ネットブック、タブレット、会社センターコンピュータ、手動工作機械、出力ユニット、たとえばスピーカ、あるいは当業者に有意義と思われるその他の外部ユニットとして構成されていてよい。スマートフォン、パーソナルコンピュータ、ラップトップ、ネットブック、またはタブレットとしての実施形態では、通信ユニットとの通信のためのアプリが意図されるのが好ましい。しかしながら、外部ユニットが外部の持運び可能な操作ユニットとして、操作者の作業場に固定的に設置された操作ユニットとして、たとえば会社設定／安全性規定の帰結として中央から制御することができる室内に固定的に設置された使用場所の同期化ユニットとして、身体特性量監視ユニットとして、または当業者に有意義と思われるその他の集中式または分散式の操作ユニット、入力ステーション、および／または集中式もしくは分散式のターミナルとして構成されることも考えられる。このようにして、電子データの同期化を可能にできるという利点がある。たとえばセンサユニットのセンサ素子によって安全衣類の着用者の存在、特に安全衣類の着用、および外部ユニットの存在および／または現存が認識されると、通信ユニットと外部ユニットとの間の接続が少なくとも部分的に自動的に構築される。このようにして、外部ユニットに保存されている設定事項および／またはデータを特に直接的に安全衣類へ、および／または安全衣類から外部ユニットへ伝送可能である。これは着用者の個別的な設定事項であってよく、または会社の設定であってよい。さらに通信ユニットによって、たとえば負荷限界の遵守のコントロールのために安全衣類の着用者の騒音負荷を伝送可能であり、および／または場合により生じる割増金の支払を会社センターなどへ伝送可能である。
【０００９】
安全衣類と外部ユニットとの間の、特に中央から制御することができる室内に固定的に設置された使用場所の同期化ユニットとして構成される外部ユニットとの通信により、作業エリアを一緒に考慮可能であるのが好ましい。作業エリアは特に建築物、敷地、空間、建設現場などで成り立っている。このような作業エリアは、ファシリティマネジメント（ＦＣＭ）により管理可能、および／または会社指令センターにより監視可能であるのが好ましい。このとき特に産業上で利用される作業エリアで地域依存的な規則や資格、たとえば作業安全性に関わる規則などを策定可能である。そのようにして、危険の程度に依存して作業エリアの下位区分を実行可能であり、作業エリアの個々の部分領域に、たとえば相応の防護装備品の着用、アクセス資格の規定、拡張された職業教育の存在／作業安全性設定の遵守に関する指示などの対応する規則や資格を割当可能である。このとき本発明に基づく構成により、こうした規則や資格の自動的なチェックを具体化可能であるという利点がある。そのようにして作業エリア内の危険領域を指定し、アクセス資格や特定の作業の実施、あるいは事前に定められた工具および／または工作機械による作業の実施などを、着用されている安全衣類に依存して認めることができるという利点がある。さらにスマートフォンが、安全衣類の通信ユニットと外部ユニットのさまざまなネットワーク技術との間の「ルーター」および／または中継個所として意図されることが考えられる。このとき、個別的に適合化された会社スマートフォンの使用が非常に好ましい。通常、スマートフォンはたとえばブルートゥースやＮＦＣのような普及した近距離無線標準と、たとえばＷＬＡＮ，ＵＭＴＳ，ＧＳＭ，ＬＴＥなどの到達距離の大きい無線標準とを装備している。したがって本発明に基づく構成により、特にセンターからの、快適な特性量の設定を行うことができるという利点がある。さらには一人監視を可能にできるという利点があり、それにより、会社センターは安全衣類の着用者の状態に関して、および特に場合により生じる危険状況に関して情報を得ることができるという利点がある。このように、安全衣類の着用者にとって高い程度の安全性を保証できるという利点がある。
【００１０】
さらに、たとえばメンテナンス作業のいわゆる作業レポート報告を自動的に検出して記録できるのが好ましい。それにより、誰が、いつ、どれだけ長く、どの安全衣類を用いてどの場所で作業したかを記録できるという利点がある。たとえば損害発生や事故が起きたとき、自動的に作成される記録が、たとえば注意義務の遵守の検証のための事実を伝えることができるという利点がある。検出されたポジション特性量を処理することで、作業場所の正確な表示を具体化可能であるのが好ましく、これを通信ユニットによってたとえばセンターの外部ユニットへ伝送可能である。そのようにして、たとえば本発明による安全衣類のさまざまな着用者の現在地に関する概要把握をセンターで可能にできるという利点がある。しかしながら、さまざまな安全衣類がそれぞれの通信ユニットにより通信して、個々のポジション特性量を交換することも可能である。そのようにして、さまざまな着用者のポジション決定を相互に行うことができる。それにより、たとえばさまざまな着用者の個々の現在地に関する情報提供を可能にする、着用者の情報を相互に伝送可能である。さらに、通信ユニットと通信することができる紛失物の発見を可能にできるという利点がある。
【００１１】
さらに安全衣類は、検出された操作者固有の特性量、検出された環境固有の特性量に依存して、および／または通信ユニットにより受信されたデータに依存して、情報を出力するために意図される少なくとも１つの出力ユニットを含んでいることが提案される。このとき出力ユニットは、触覚式、音響式、および／または光学式の出力ユニットとして構成されていてよい。出力ユニットは、安全衣類に配置されていて少なくとも１つの情報の出力のために意図される少なくとも１つの出力部材を含んでいるのが好ましい。このとき出力部材は、安全衣類が安全ヘルメットとして構成されている場合、安全ヘルメットのバイザーにディスプレイとして統合されていてよい。さらに安全衣類が安全眼鏡として構成されている場合、出力部材は安全眼鏡の眼鏡ガラスにディスプレイとして統合されていてよい。さらに安全衣類が溶接ヘルメットとして構成されている場合、出力部材は溶接ヘルメットののぞき窓にディスプレイとして統合されていてよい。さらに安全衣類が安全手袋、作業上着、作業ベスト、特に警告ベスト、作業ズボン、作業靴などとして構成されている場合、出力部材は安全衣類の外側面にディスプレイとして統合されていてよい。出力ユニットは、安全衣類の制御ユニットおよび／または調節ユニットによって制御可能および／または調節可能であるのが好ましい。本発明に基づく構成により、安全衣類の着用者に情報を出力できるという利点がある。このようにして、安全衣類の着用者が危険状況に対して警報を受けられるという利点がある。さらに、安全衣類の着用者の周辺にいる他の者も、同じく危険状況に対して警報を受けられるという利点がある。
【００１２】
さらに出力ユニットにより、通信ユニットにより受信されたデータに少なくとも依存する作業指図を出力可能であることが提案される。出力ユニットにより、センサユニットにより検出された特性量に少なくとも依存する作業指図を出力可能であるのが好ましい。そのようにして、安全衣類の着用者の個別的な作業形態に合わせて適合化可能な作業指図を出力できるという利点がある。
【００１３】
さらに安全衣類は、別の安全衣類との通信に少なくとも依存して安全衣類組合せを評価するために意図される少なくとも１つの評価ユニットを含んでいることが提案される。そのようにして、安全衣類の着用者が自分の作業領域または作業課題に適合した別の安全衣類を着用しているかどうかを少なくとも認識できるという利点がある。評価ユニットは、安全衣類組合せの評価にあたり、特に通信ユニットにより伝送された別の安全衣類のデータおよび／または安全衣類のセンサユニットのデータを評価するために少なくとも意図される。たとえば通信ユニットを通じて、および／またはセンサユニットを通じて、別の安全衣類の存在を検出可能である。通信ユニットにより、たとえばその安全衣類組合せをセンターへ伝送可能である。それにより、正しく着用された防護装備を推定することができるという利点がある。さらに、安全衣類および／または別の安全衣類のポジション特性量をセンターへ伝送可能であることが考えられる。たとえば着用者が休憩後に別の安全衣類を装着するのを忘れて作業を続行したとき、たとえばセンターで、装着されていない別の安全衣類のポジションを登録可能であってよく、出力ユニットにより相応の警告を着用者に出力することができる。
【００１４】
さらに安全衣類は、センサユニットの環境検出センサ素子、特にカメラに少なくとも依存して、検出された環境を作業指図の可能化のために評価するために意図される、少なくとも１つの評価ユニットを含んでいることが提案される。センサユニットは、カメラとして構成されるのが好ましい環境検出センサ素子の代替または追加として、別様に構成された環境検出センサ素子または他の環境検出センサ素子を含むことができ、これ／これらはたとえば温度センサ素子、材料特性量センサ素子、騒音センサ素子などとして構成される。評価ユニットは、たとえば環境検出センサ素子により検出される特性量を参照して、工作物や工作物が上に配置されている床面を評価し、それよりたとえば工作物や床面の表面に指図を投影する可能性を判断する。このとき評価ユニットは、たとえば工作物や床面のコントラスト、周囲の明るさなどを評価する。そのようにして、環境に合わせた作業指図の出力の適合化を行うことができるという利点がある。さらに、環境検出センサ素子によって工作物を検出可能であり、評価ユニットによる評価を用いて、工作物における加工の場所を評価可能であることが考えられ、検出された工作物および／または評価ユニットによる評価に依存する作業指図を工作物の上で直接表示可能であり、または出力ユニットにより作業指図を出力可能である。たとえば特定の個所で工作物に面取りを刻設することが意図されているとき、あるいは、たとえば溶接継目を取り除くことが意図されているとき、たとえば環境検出センサ素子により評価ユニットと連動して面取りを刻設する個所や溶接継目を検出し、相応の作業指図を出力することができる。このとき、たとえば検出された工作物を出力ユニットで表示可能であり、視覚的な記号を用いて工作物の表示に面取りを刻設する個所や溶接継目が示唆されることが考えられ、この場合、出力ユニットは安全眼鏡の眼鏡ガラスまたは安全ヘルメットのバイザーと少なくとも実質的に一体的に構成される。安全衣類の着用者によって作業指図を確実に知覚可能であることを確保できるという利点がある。本発明に基づく評価ユニットの別の実施形態では、安全衣類の記憶装置ユニットにアプリケーションパラメータが保存されていることが考えられる。たとえばセンサユニットにより判定された工作物温度が記憶装置ユニットに保存されている温度限界値よりも高いとき、このことをたとえば出力ユニットによって出力可能であり、または通信ユニットにより、手動工作機械として構成された外部ユニットへ制御コマンドを、たとえば安全停止コマンドを伝送可能である。
【００１５】
さらに安全衣類は、少なくとも操作者固有の制御コマンドを入力するための少なくとも１つの入力ユニットを含んでいることが提案され、操作者固有の制御コマンドは特に手動工作機械のような外部ユニットを制御するために、通信ユニットによって外部ユニットへ伝送可能である。このとき入力ユニットは光学式、音響式、または触覚式の入力ユニットとして構成されていてよい。入力ユニットは、安全衣類の着用者にとって良好に到達可能な安全衣類の外側面に配置された、たとえばキー、接触感度のあるディスプレイ、タンブラスイッチなどの少なくとも１つの入力部材を有しているのが好ましい。本発明に基づく構成により、外部ユニットの操作機能を拡張する可能性を実現できるという利点がある。
【００１６】
さらに入力ユニットは、少なくとも１つのジェスチャー制御機能および／または音声制御機能を有することが提案される。すなわち入力ユニットは、少なくとも１つのジェスチャー検出部材、特にカメラ、および／または音声検出部材、特にマイクロホンを含んでいるのが好ましい。本発明に基づく構成により、外部ユニットの快適な操作性および／または安全衣類の個別的な設定のための設定パラメータの快適な設定を実現できるという利点がある。
【００１７】
さらに安全衣類は、少なくとも検出された操作者固有の特性量に依存して、検出された環境固有の特性量に依存して、および／または通信ユニットにより受信されたデータに依存して制御可能な少なくとも１つのアクチュエータユニットを含んでいることが提案される。このときアクチュエータユニットは、快適性機能および／または安全性機能を可能化するため、特に設定するために意図されていてよい。たとえば、検出された操作者固有の特性量に依存して、検出された環境固有の特性量に依存して、および／または通信ユニットにより受信されたデータに依存して、たとえば安全衣類の適応形状を適合化可能であることが考えられる。アクチュエータユニットにより影響を及ぼすことが可能な、当業者に有意義と思われる安全衣類のその他の快適性機能および／または安全性機能も同じく考えられる。本発明に基づく構成により、高い快適性および／または高い安全性標準を具体化できるという利点がある。
【００１８】
さらにアクチュエータユニットは、危険状況の認識の結果として着用者へ能動的に働きかけるために少なくとも意図されることが提案される。たとえば安全衣類の、特に作業靴のセンサユニットは、安全衣類の着用者と、たとえば安全衣類の着用者が上にいる地面との間の電圧電位を検出するために意図される少なくとも１つの電圧センサ素子を含むことが考えられる。アクチュエータユニットは、たとえば高い電圧電位の存在に対して振動の生成によって着用者に注意を促すために意図される、少なくとも１つの触覚式のアクチュエータ部材を有しているのが好ましい。このとき、着用者または着用者の周辺にいる者に電圧電位の存在を示唆するために、検出された電圧電位に関する示唆を出力ユニットによって追加的に出力可能であることが考えられる。着用者への電圧通過が起こると、出力ユニットにより警告信号を出力可能であることが考えられる。それにより、近くにいる者に危険状況を示唆可能であるという利点がある。さらに、少なくとも半自動式に、特に電圧限界値を上回ったときに、またはセンサユニットによる着用者のクリティカルな生体値の検出の結果として、非常呼出信号を出すことが可能であることが考えられる。さらにアクチュエータユニットは、着用者への電圧通過が続いている場合にたとえば着用者の四肢に運動を強制して、たとえば足や手を素早く動かすようにさせ、特に曲げさせ、それにより、特に電圧源からの離反運動の結果として電圧通過を遮断するために意図される少なくとも１つのアクチュエータ部材、特に少なくとも１つのスマートマテリアルアクチュエータ部材を有することが考えられる。本発明に基づく構成により、高い着用者安全性を確保できるという利点がある。
【００１９】
さらに、安全衣類は作業領域を照明するための少なくとも１つの照明ユニットを含んでいることが提案され、照明ユニットは少なくとも検出された操作者固有の特性量に依存して、検出された環境固有の特性量に依存して、および／または通信ユニットにより受信されたデータに依存して制御可能である。照明ユニットはＬＥＤ照明ユニットとして構成されるのが特別に好ましい。しかしながら照明ユニットが、当業者に有意義と思われるそれ以外の構成、たとえば希ガス照明ユニット、レーザ光照明ユニットなどとしての構成を有することも考えられる。本発明に基づく構成により、暗い作業領域や照明の乏しい作業領域での安全な作業を可能にできるという利点がある。このようにして、作業領域への良好な視界を実現できるという利点がある。
【００２０】
さらに安全衣類は、少なくとも１つの情報を地面へ投影するために意図される少なくとも１つの投影ユニットを含んでいることが提案され、投影ユニットは少なくとも検出された操作者固有の特性量に依存して、検出された環境固有の特性量に依存して、および／または通信ユニットにより受信されたデータに依存して制御可能である。投影ユニットは、検出された操作者固有の特性量に依存して、検出された環境固有の特性量に依存して、および／または通信ユニットにより受信されたデータに依存して、たとえば工作物のような対象物の表面に少なくとも作業指図を投影するために意図されるのが好ましい。このとき投影ユニットはＬＥＤ投影ユニット、レーザ投影ユニット、あるいは当業者に有意義と思われるそれ以外の投影ユニットとして構成されていてよい。本発明に基づく構成により、情報の確実な読取り可能性を可能にできるという利点がある。さらに、情報の表示のために広い面積を利用可能である。
【００２１】
さらにセンサユニットは、着用者の、特に安全衣類着用者の、少なくとも１つの目特性量を検出するために意図される少なくとも１つの目センサ素子を有することが提案され、目特性量は通信ユニットにより別の安全衣類および／または外部ユニットへ伝送可能である。目センサ素子は、着用者の少なくとも１つの目の状態（開、閉、まばたきの速度など）として構成される目特性量を、または着用者の目の視線方向として構成される目特性量を検出するために少なくとも意図されるのが好ましい。しかしながら目センサ素子はその代替または追加として、当業者に有意義と思われる他の、またはさらに別の目特性量を検出するために意図されることも考えられる。目センサ素子により検出される目特性量は、評価ユニットによって評価可能であるのが好ましい。そのようにして、安全衣類の着用者の注意力を推定可能であるという利点がある。たとえば着用者が加工されるべき工作物および／または手動工作機械から離れるほうを向く視線を有していることを認識可能だからである。検出された目特性量に依存して、かつ評価ユニットにより認識された潜在的危険の評価の結果として、たとえば外部ユニットの、特に手動工作機械の安全停止を開始可能であることが考えられる。さらに、検出された目特性量に依存して、かつ評価ユニットによる評価の結果として、着用者の過度の疲労の認識を可能化することが可能なのが好ましい。警告信号を出力することができ、または、通信ユニットによる電子データの伝送の結果として外部ユニットの安全停止を行えるという利点がある。
【００２２】
さらに安全衣類は、外部ユニットの、特に手動工作機械の取扱に依存して少なくともセンサユニットおよび通信ユニットにエネルギーを供給するために意図される、少なくとも１つのエネルギー供給ユニットを含んでいることが提案される。エネルギー供給ユニットは、無接触式のエネルギー供給ユニットとして構成されるのが好ましい。すなわちエネルギー供給ユニットは、電気エネルギーを受信するための少なくとも１つの一次コイルを含んでいるのが好ましい。外部ユニット、特に手動工作機械は、外部ユニットの、特に手動工作機械の近接領域に安全衣類が配置されたときに電気エネルギーを安全衣類のエネルギー供給ユニットへ送るために意図される、少なくとも１つの二次コイルを有しているのが好ましい。さらにエネルギー供給ユニットは、電気エネルギーを蓄えるための少なくとも１つの蓄電池を有することが考えられる。さらにエネルギー供給ユニットは、エネルギー供給のために再生エネルギーを活用するために、たとえばソーラーモジュール、風力モジュールなどとして意図されることも考えられる。本発明に基づく構成により、少なくともセンサユニットおよび通信ユニットへのエネルギー供給のために、外部ユニットの、特に手動工作機械のエネルギー供給の有意義な利用法を活用できるという利点がある。特に追加の蓄電池から切り離された安全衣類の構成の場合に、安全衣類への追加のエネルギー供給を節減できるという特別な利点がある。
【００２３】
さらに、本発明による少なくとも１つの安全衣類、および少なくとも１つの別の安全衣類、および／または安全衣類が電子データの交換のために安全衣類の通信ユニットによって少なくとも通信する少なくとも１つの外部ユニットを有する安全システムが提案される。別の安全衣類は、幾何学的な構成に関して、安全衣類とは相違する構成を有しているのが好ましい。安全工学上の構成に関して、別の安全衣類は少なくとも実質的に類似する構成を有しているのが好ましい。安全衣類はたとえば作業上着として構成されていてよく、別の安全衣類は作業ズボンとして構成されていてよく、この場合、別の安全衣類は安全衣類と少なくとも実質的に同じ電気的および／または電子的なユニット、たとえば通信ユニット、センサユニットなどを有している。安全衣類と別の安全衣類の構成に関しては、当業者に有意義と思われるあらゆる安全衣類組合せが考えられる。安全システムは、相互に通信をするための少なくとも１つの通信ユニットならびに／または少なくとも１つの操作者固有の特性量および／もしくは少なくとも１つの環境特性量を検出するための少なくとも１つのセンサユニットをそれぞれ含む、多数の安全衣類を含んでいるのが好ましい。安全システムは、たとえば作業上着として構成された安全衣類、作業ズボンとして構成された別の安全衣類、安全ヘルメットとして構成された追加の安全衣類、安全手袋として構成された追加の安全衣類、安全靴として構成された追加の安全衣類、および／または安全眼鏡として構成された追加の安全衣類を含んでいるのが好ましい。本発明に基づく構成により、安全衣類の着用者にとっての高い安全性を可能にできるという利点がある。
【００２４】
さらに、安全衣類のセンサユニットは少なくとも１つのポジションセンサ素子を有しており、外部ユニットは、ポジションセンサ素子により検出されるポジション特性量に少なくとも依存して安全衣類の着用者の危険状況を少なくとも評価するために意図される少なくとも１つの危険認識機能を有することが提案される。たとえば安全衣類のセンサユニットは、作業領域監視のために意図されるセンターへ通信ユニットにより伝送可能な位置特性量を検出することが考えられる。そのようにして、安全衣類を着用している着用者の現在地がセンターで既知となるのが好ましい。作業領域に依存して、たとえば列車交通特性量、自動車交通特性量などの作業領域特性量を、検出されたポジション特性量と照合可能であるのが好ましい。このとき作業領域特性量は通信ユニットによって安全衣類へ伝送可能であるとともに、出力ユニットにより出力可能であるのが好ましい。安全衣類の着用者に、出力ユニットを通じてたとえば作業場所に列車が到着するまでの最新の時間に関して情報提供可能であるのが好ましい。さらに、たとえば車両運転者にも、たとえば列車運転者や自動車運転者などにも、センターとの通信の結果として、安全衣類を着用している着用者の現在地に関して情報提供可能であることが考えられる。たとえば安全衣類を着用している着用者の危険がセンターで記録されたときは、警告メッセージを着用者および／または車両運転者に出力可能である。たとえば警告メッセージに対する着用者の無反応を検出可能であれば、たとえば安全衣類の着用者の怪我のリスクを好ましく低く抑えるための列車の非常ブレーキのような対応措置を、少なくとも部分的に自動的に開始可能である。
【００２５】
さらに少なくとも１つの外部ユニットは、作業領域や空間への安全衣類および／または別の安全衣類の着用者のアクセスを監視し、解放し、または封鎖するために意図される少なくとも１つのアクセスコントロール機能を有することが提案される。アクセスコントロール機能により、たとえばどの空間および／または作業エリアの領域へ安全衣類の着用者が立ち入ったか、特に安全指示に関してどのような作業許可を着用者が有しているかを監視可能である。このように、たとえば安全衣類の着用者への手動工作機械の出力を記録可能であり、それは、安全衣類と手動工作機械との間で通信が行われることによっており、その際にデータを追加的に外部ユニットへ、特にセンターへ伝送可能である。アクセスコントロール機能の帰結として、たとえば保守作業を実行可能である作業エリアの領域への立入りを検出可能である。安全衣類のセンサユニットがたとえば加速度センサによって滑りやすい地面を検出すると、手動工作機械との通信により自動的に手動工作機械の安全機能を、たとえばアンギュラ研削機におけるキックバック機能を、作動化可能または設定可能である。これに加えて、安全衣類は滑りやすい地面の存在に関わる情報を通信ユニットによって外部ユニットへ伝送し、これを参照してたとえば滑りやすい地面の除去のために洗浄人員を派遣可能であることが考えられる。さらに、安全衣類のセンサユニットのガスセンサ素子が、たとえば火花形成をする工作物の加工の場合に発火性の高いガスの存在を検出し、これを受けてたとえば手動工作機械を自動的に不作動化可能であり、出力ユニットによって着用者に警告を出力可能であり、および／または作業エリアの領域における発火性の高いガスの存在を、相応の対応措置を導入するために外部ユニットへ通知可能であることが考えられる。本発明に基づく構成により、簡単なアクセスコントロールを可能にできるという利点がある。
【００２６】
さらに少なくとも１つの外部ユニットは、安全規則および／または操業領域規則に依存して作業領域上および／または作業出動上の安全衣類組合せを監視するために意図される、少なくとも１つの衣類監視機能を有することが提案される。そのようにして、安全衣類の着用義務の自動式の監視を具体化可能であるという利点がある。
【００２７】
さらに少なくとも１つの外部ユニットは、手動工作機械または会社センターとして構成されることが提案される。「手動工作機械」とは、ここでは特に、工作物を加工するための工作機械であって、操作者により輸送機械なしに持ち運ぶことができるものを意味するものとする。手動工作機械は特に４０ｋｇ以下、好ましくは１０ｋｇ以下、特別に好ましくは５ｋｇ以下の質量を有している。
【００２８】
手動工作機械として構成される外部ユニットは、安全衣類の通信ユニットと電子データを交換するための少なくとも１つの通信ユニットを有しているのが好ましい。特に、手動工作機械として構成される外部ユニットは、手動工作機械固有および／または工作物固有の特性量を検出するための少なくとも１つのセンサユニットを有している。手動工作機械固有および／または工作物固有の特性量は、特に手動工作機械の通信ユニットと安全衣類の通信ユニットとの間の通信によって、少なくとも安全衣類へ伝送可能であるのが好ましい。安全衣類の出力ユニットにより、特に手動工作機械の操作者に情報提供をするために、手動工作機械固有および／または工作物固有の特性量を出力可能であるのが好ましい。手動工作機械固有および／または工作物固有の特性量は、たとえば蓄電池充電状態特性量、カウンタ特性量（使用回数／スイッチオン過程の回数など）、動作モード特性量（たとえば１ギヤ、２ギヤ、ノミ、ハンマー穿孔、穴あけなど）、絶対的な回転数、最大回転数に占めるパーセント割合、放出出力、最大放出出力に占めるパーセント割合、過負荷特性量、レベリング特性量（たとえば垂直方向や水平方向のアライメントからの逸脱および／または所定の角度でのアライメントからの逸脱）、サービス特性量（たとえばカーボン交換、伝動装置グリースの交換など）などであり得る。
【００２９】
安全システムの本発明に基づく構成により、手動工作機械と安全衣類の間の通信を可能にできるといいう利点があり、それによりたとえば操作者適合的な操作コマンドの入力を可能にし、および／または手動工作機械に関わる情報を操作者に出力する。
【００３０】
さらに本発明は、本発明による安全システムで使用するための目防護装置、特に安全眼鏡または安全バイザーを前提としており、少なくとも１つの手動工作機械と通信するために意図される、電子データを交換するための少なくとも１つの通信ユニットと、通信ユニットにより受信されたデータに依存して情報を出力するために意図される少なくとも１つの出力ユニットとを有している。
【００３１】
通信ユニットは、手動工作機械とは相違する外部ユニットと通信するために少なくとも意図されることが提案される。目防護装置は安全衣類として構成されるのが好ましい。特に目防護装置は、少なくとも１つの操作者固有の特性量および／または少なくとも１つの環境固有の特性量を検出するためのセンサユニットから切り離されて配置される。しかしながら別案の実施形態では、目防護装置は、少なくとも１つの操作者固有の特性量および／または少なくとも１つの環境固有の特性量を検出するためのセンサユニットを有することも考えられる。さらに目防護装置は、本発明による安全システムから独立して作動可能であることが考えられる。
【００３２】
目防護装置の通信ユニットは、ケーブルレス式の通信ユニットとして構成されるのが好ましい。しかしながら、その代替または追加として目防護装置の通信ユニットがケーブル式の通信手段を有することも考えられる。目防護装置の通信ユニットの構成に関しては、基本的に、目防護装置の通信ユニットと少なくとも実質的に同様の構成を有する、安全システムおよび／または安全衣類の通信ユニットの説明を参照することができる。目防護装置の出力ユニットの構成に関しては、基本的に、目防護装置の出力ユニットと少なくとも実質的に同様の構成を有する、安全システムおよび／または安全衣類の出力ユニットの説明を参照することができる。
【００３３】
手動工作機械とは相違する外部ユニットは、モバイルデバイス、充電装置、会社センターなどとして構成されるのが好ましい。モバイルデバイスは携帯電話、特にスマートフォン、ラップトップ、ネットブック、タブレットなどであり得る。
【００３４】
目防護装置の本発明に基づく構成により、高い操作快適性を可能にできるという利点がある。さらに、操作者の注意力および／または視線方向が、加工されるべき工作物に好ましくとどまることに寄与できるという利点がある。手動工作機械固有および／または工作物固有の特性量の表示を快適に拡張して、新たなデータを加えることを可能にできるという利点がある。
【００３５】
さらに目防護装置の通信ユニットは、モバイルデバイスと電子データを交換するために、モバイルデバイスとして構成された外部ユニットと通信するために少なくとも意図されることが提案される。特に、モバイルデバイスはスマートフォンとして構成される。たとえばＳＭＳのようなショートメッセージの受け取った呼出の出力を可能にできるという利点がある。さらに、個人的な期限を出力ユニットにより表示できるという利点がある。高い情報多様性を単一の対象物で具体化できる利点がある。
【００３６】
さらに目防護装置の通信ユニットは、充電装置により充電可能な少なくとも１つの蓄電池の少なくとも１つの充電特性量を受信するために、充電装置として構成された外部ユニットと通信するために少なくとも意図されることが提案される。充電特性量は充電状態、残り充電時間、充電容量、充電電圧などとして構成されていてよい。本発明に基づく構成により、充電装置に配置された蓄電池の状態に関して知らせる情報を操作者に提供できるという利点がある。出力ユニットの出力に依存して蓄電池交換インターバルを計画し、作業時間の好ましい活用を可能にできるという利点がある。
【００３７】
さらに目防護装置の通信ユニットは、少なくともプロジェクトデータを受信するために、会社センターとして構成される外部ユニットと通信するために少なくとも意図されることが提案される。プロジェクトデータはたとえば建設計画、部品リスト、作業要求事項、作業計画、担当者に関する情報、加工場所に関する情報などであり得る。本発明に基づく構成により、プロジェクトデータの変更や更新に関して操作者が早期に情報提供を受けるという利点がある。目標データと実際データの快適な照合を行えるという利点がある。このようにしてトラブルを回避し、ないしは少なく抑えることができる利点がある。
【００３８】
さらに、本発明による安全システムを作動させる方法が提案される。この方法は、安全衣類と別の安全衣類および／または外部ユニットとの少なくとも部分的に自動的な結合が行われる、少なくとも１つの方法ステップを有しているのが好ましい。この方法は、少なくとも部分的に自動的な記録機能を開始可能である、少なくとも１つの方法ステップを有しているのが好ましい。安全衣類の着用者の少なくとも部分的に自動的な監視を行えるという利点がある。
【００３９】
本発明による安全衣類、本発明による安全システム、本発明による目防護装置、および／または本発明による方法は、上に説明した用途や実施形態だけに限定されるものではない。特に、本発明による安全衣類、本発明による安全システム、本発明による目防護装置、および／または本発明による方法は、ここに説明している機能形態を遂行するために、ここに挙げている個々の部材、コンポーネント、ユニット、ならびに方法ステップの個数とは相違する個数を有することができる。さらに、ここでの開示で値範囲が記載されている場合、挙げられている限度内にある値も開示されていて任意に採用可能であるとみなされる。
【００４０】
上記以外の利点は以下の図面の説明から明らかとなる。図面には本発明の一実施例が示されている。図面、発明の詳細な説明、および特許請求の範囲は、数多くの構成要件を組合せの形で含んでいる。当業者は、これらの構成要件を目的に即して単独で考察したり、有意義な別の組合せにまとめることができる。
【図面の簡単な説明】
【００４１】
【図１】少なくとも１つの安全衣類と、少なくとも１つの別の安全衣類とを有する本発明による安全システムを示す模式図である。
【図２】外部ユニットとの安全システムの通信図式を示す模式図である。
【図３】空間組合せおよび／または衣類組合せ監視を可能にするための安全システムの通信図式を示す模式図である。
【図４】本発明による安全システムの追加の安全衣類の詳細図を示す模式図である。
【図５】本発明による安全システムのさらに別の追加の安全衣類の詳細図を示す模式図である。
【図６】本発明による安全システムのさらに別の追加の安全衣類の詳細図を示す模式図である。
【図７】本発明による安全システムでの本発明による目防護装置の用途を示す模式図である。
【発明を実施するための形態】
【００４２】
図１は、少なくとも１つの安全衣類１０と、安全衣類１０が電子データを交換するために安全衣類１０の通信ユニット１４により通信する、少なくとも１つの別の安全衣類１６とを有する安全システム３８を示している。安全衣類１０の通信ユニット１４は、ケーブルレス式の通信ユニットとして構成されるのが好ましい。安全衣類１０および／または別の安全衣類１６は、ここでは作業上着、作業ベスト、特に警告ベスト、作業ズボン、作業靴、安全ヘルメット、安全眼鏡、作業手袋、作業ベルトなどとして構成されていてよい。別の安全衣類１６は、幾何学的な構成に関して、安全衣類１０と相違して構成されるのが好ましい。図１に示す実施例では、安全衣類１０は、特に安全衣類１０および／または安全システム３８の機能性を説明するために、一例として安全ヘルメットとして構成されている。しかしながら、安全衣類１０が当業者に有意義と思われるその他の構成を有することも考えられる。別の安全衣類１６は、図１に示す実施例では、特に別の安全衣類１６および／または安全システム３８の機能性を説明するために、一例として作業上着として構成されている。しかしながら、別の安全衣類１６が当業者に有意義と思われるその他の構成を有することも考えられる。
【００４３】
安全衣類１０は、少なくとも１つの操作者固有の特性量および／または少なくとも１つの環境固有の特性量を検出するための少なくとも１つのセンサユニット１２を含んでいる。そのためにセンサユニット１２は、少なくとも１つの環境検出センサ素子２４および／または操作者検出センサ素子（ここには詳しくは図示せず）を含んでいる。このとき環境検出センサ素子２４および／または操作者検出センサ素子は、当業者に有意義と思われるどのような構成でも有することができ、たとえば安全衣類負荷形式センサ、着用者負荷センサ（騒音負荷センサ、振動負荷センサなど）、脈拍センサ、体温センサ、疲労度センサ、着用者姿勢センサ、運動センサ、環境圧力センサ、環境温度センサ、環境音響レベルセンサ、環境ガスセンサ、環境電圧センサ、環境湿度センサ、環境酸センサ、および／または環境塩基センサなどとしての構成を有することができる。センサユニット１２は、少なくとも１つの操作者固有の特性量および／または少なくとも１つの環境固有の特性量を検出するために多数のセンサ素子を含むことができ、特に、さまざまに異なる操作者固有の特性量および／またはさまざまなに異なる環境固有の特性量を検出するために意図される、多種多様なセンサ素子の組合せが考えられる。
【００４４】
さらに安全衣類１０は少なくとも１つの通信ユニット１４を含んでおり、これにより、検出された操作者固有の特性量および／または検出された環境固有の特性量を、別の安全衣類１６との通信のために、少なくとも別の安全衣類１６へ伝送可能である。別の安全衣類１６は、安全衣類１０との通信のために、同じく少なくとも１つの通信ユニット４２を含んでいる。さらに、別の安全衣類１６も少なくとも１つの操作者固有の特性量および／または少なくとも１つの環境固有の特性量を検出するための少なくとも１つのセンサユニット４４を同じく含んでいる。
【００４５】
さらに、安全衣類１０の通信ユニット１４は、電子データを交換するために、安全衣類とは別様に構成された少なくとも１つの外部ユニット１８と通信をするために意図されている（図２）。外部ユニット１８は、手動工作機械または会社センターとして構成されている。しかしながら外部ユニット１８が、当業者に有意義と思われるその他の構成、たとえば配線、工具、工具トランクなどさまざまな対象物に取付可能である外部の通信モジュールとしての構成、クラウドとしての構成、移動無線網としての構成などを有することも考えられる。このとき、通信ユニット１４は安全システム３８のルータユニット４６を介して、または直接的に、外部ユニット１８と通信をすることが考えられる。外部のルータユニット４６を介しての通信の場合、外部のルータユニット４６は携帯型の通信機器として、特にスマートフォンとして構成されるのが好ましい。
【００４６】
さらに安全衣類１０は、検出された操作者固有の特性量、検出された環境固有の特性量に依存して、および／または安全衣類１０の通信ユニット１４により受信されたデータに依存して、情報を出力するために意図される少なくとも１つの出力ユニット２０を含んでいる（図５）。そのために安全衣類１０の出力ユニット２０は、少なくとも１つの光学式の出力部材４８を含んでいる。光学式の出力部材４８はディスプレイとして構成されるのが好ましい。安全衣類１０が安全ヘルメットとして構成されている場合の光学式の出力部材４８は、安全衣類１０のバイザー部材５０に統合される（図５）。このとき、光学式の出力部材４８は任意選択で、特に必要な場合にのみ、スイッチオン可能であることが考えられる。光学式の出力部材４８は、必要があるときにのみ、または安全衣類１０の着用者が光学式の出力部材４８を作動化させたときにのみ、バイザー部材５０で視認可能である。しかしながら、光学式の出力部材４８がバイザー部材５０から切り離されて構成され、別個の部材として安全衣類１０に配置され、特に安全衣類１０に可動に配置され、特に必要時に安全衣類１０の着用者の視界領域に入るように可動であることも考えられる。
【００４７】
さらに安全衣類１０の出力ユニット２０は、少なくとも１つの音響式の出力部材５２を含んでいる。音響式の出力部材５２はスピーカとして構成される。音響式の出力部材５２は、安全衣類１０が安全ヘルメットとして構成されている場合、安全ヘルメットの耳防護領域に統合される。しかしながら、光学式の出力部材５２が安全衣類１０から、特に安全ヘルメットから切り離されて構成されて、たとえば安全衣類１０に、特に安全ヘルメットに配置可能である、特に安全ヘルメットに可動に配置可能であるヘッドホンとして構成されることも考えられる。さらに、安全衣類１０の出力ユニット２０は、触覚式の出力部材として、たとえば振動励起器として構成された少なくとも１つの別の出力部材を有することが考えられる。安全衣類１０の出力ユニット２０により、安全衣類１０の通信ユニット１４により受信されたデータに少なくとも依存する作業指図を少なくとも出力可能である。さらに安全衣類１０の出力ユニット２０により、安全衣類１０のセンサユニット１２により検出された少なくとも１つの特性量に少なくとも依存する情報を出力可能である。このとき、たとえばセンサユニット１２のセンサ素子により、特に騒音センサ素子により、騒音レベルを検出可能であることが考えられる。このような騒音レベルは、たとえば安全衣類１０の評価ユニット２２によって評価可能である（図５）。騒音レベル限界値の超過を確認可能であれば、安全衣類１０の出力ユニット２０によってたとえば相応の情報を、特に警告信号および／または警告記号を出力可能である。さらに、当業者に有意義と思われるその他の特性量を安全衣類１０のセンサユニット１２により検出可能であることが考えられ、これを安全衣類１０の評価ユニット２２により評価可能であり、相応の情報を安全衣類１０の出力ユニット２０により出力可能である。このとき、たとえば環境明度、安全衣類１０の状態の現況、放射能の存在、酸、ガス、ダスト負荷等、環境温度、地面状態、電圧の印加、たとえば姿勢不良や大きすぎる荷重の持ち上げなどによる安全衣類１０の着用者の過負荷、歩数、安全衣類１０の着用者の重量、安全衣類１０の着用者の１日の生産量、作業エリアの領域および／または空間へのアクセス資格、消費カロリーなどの検出を、安全衣類１０のセンサユニット１２により行うことができる。検出された特性量を安全衣類１０の評価ユニット２２により評価可能であり、相応の情報を安全衣類１０の出力ユニット２０により出力可能である。
【００４８】
少なくとも１つの外部ユニット１８は、作業領域または空間への安全衣類１０および／または別の安全衣類１６の着用者のアクセスを監視し、解放し、または封鎖するために意図される、少なくとも１つのアクセスコントロール機能を有している（図３）。外部ユニット１８により、安全衣類１０の通信ユニット１４および／または別の安全衣類１６の通信ユニット４２により評価可能であるその他のデータを監視可能および／または記録可能である。安全衣類１０のセンサユニット１２は、安全衣類１０の着用者の少なくとも１つの目特性量を検出するために意図される少なくとも１つの目センサ素子３４を有しており、目特性量は通信ユニット１４によって別の安全衣類１６および／または外部ユニット１８へ伝送可能である（図５）。それにより、たとえば作業指図の出力に向けた安全衣類１０の着用者の視線方向を可能化することができ、および／または安全衣類１０の着用者の疲労監視を可能化できるという利点がある。
【００４９】
安全衣類１０は、別の安全衣類１６との通信に少なくとも依存して安全衣類組合せを評価するために意図される少なくとも１つの評価ユニット２２を含んでいる。安全衣類１０と別の安全衣類１６を着用するとき、安全衣類１０の通信ユニット１４により、および別の安全衣類１６の通信ユニット４２により通信が行われ、安全衣類１０と別の安全衣類１６が相互に通知をし合い、このことを外部ユニット１８に伝送する。少なくとも１つの外部ユニット１８は、安全規則および／または操業領域規則に依存して、作業領域上および／または作業出動上の安全衣類組合せを監視するために意図される少なくとも１つの衣類監視機能を有している。正しい安全衣類組合せは安全衣類１０の評価ユニット２２により事前評価されるのが好ましく、この事前評価は、安全衣類１０の通信ユニット１４により伝送される安全規則および／または操業領域規則に少なくとも部分的に依存する。
【００５０】
さらに安全衣類１０の評価ユニット２２は、安全衣類１０のセンサユニット１２の環境検出センサ素子２４、特にカメラに少なくとも依存して、検出された環境を作業指図の可能化のために評価するために意図される。たとえば加工されるべき工作物を検出可能であり、これを安全衣類１０の評価ユニット２２によりたとえば電子式に存在する作業計画に依存して評価可能である。たとえば、作業計画を遂行するために、どの個所で工作物が加工されるべきかを判定可能である。このことは安全衣類１０の着用者に、安全衣類１０の出力ユニット２０によって出力可能であり、特に、工作物そのものを作業指図の出力の一部として利用可能であり、たとえば工作物へ視線を向けたときに、安全衣類１０に対して相対的な工作物の位置に依存して相応の作業指図を出力可能である。しかしながら、工作物をデジタル式にのみ安全衣類１０の出力ユニット２０により表示可能であり、作業指図もそれに応じてデジタル式に表示可能であることも考えられる。安全システム３８および／または少なくとも安全衣類１０は、工作物のバーチャルリアリティ加工および／または拡張現実加工のために意図される。
【００５１】
さらに安全衣類１０は、操作者固有の制御コマンドを少なくとも入力するために少なくとも１つの入力ユニット２６を有しており、操作者固有の制御コマンドは外部ユニット１８の、特に手動工作機械の制御のために、通信ユニット１４により外部ユニット１８へ伝送可能である。安全衣類１０の入力ユニット２６は、操作者固有の制御コマンドを入力するために少なくとも１つの触覚式の入力部材６２を含んでいる。触覚式の入力部材６２はキー、スイッチ、接触感度のあるディスプレイ、または当業者に有意義と思われるその他の入力部材６２として構成されていてよい。安全衣類１０の入力ユニット２６は、少なくとも１つのジェスチャー制御機能および／または音声制御機能を有している。安全衣類１０の入力ユニット２６は、少なくとも１つのジェスチャー制御入力部材６４および／または少なくとも１つの音声制御入力部材６６を含んでいる。ジェスチャー制御入力部材６４はカメラとして構成されるのが好ましい。安全衣類１０の着用者の検出されたジェスチャーを安全衣類１０の評価ユニット２２により評価可能であり、安全衣類１０の制御および／または調節ユニット６８により制御コマンドへと処理可能であるのが好ましい。音声制御入力部材６６はマイクロホンとして構成されるのが好ましい。安全衣類１０の着用者の検出された音声コマンドを安全衣類１０の評価ユニット２２により評価可能であり、安全衣類１０の制御および／または調節ユニット６８により制御コマンドへと処理可能であるのが好ましい。
【００５２】
さらに安全衣類１０は、少なくとも検出された操作者固有の特性量に依存して、検出された環境固有の特性量に依存して、および／または安全衣類１０の通信ユニット１４により受信されたデータに依存して制御可能な少なくとも１つのアクチュエータユニット２８を含んでいる（図５）。安全衣類１０のアクチュエータユニット２８は、危険状況の認識の結果として着用者に能動的に働きかけるために少なくとも意図される。別の安全衣類１６も、少なくとも検出された操作者固有の特性量に依存して、検出された環境固有の特性量に依存して、および／または安全衣類１６の通信ユニット４２により受信されたデータに依存して制御可能な少なくとも１つのアクチュエータユニット７０を同じく含んでいる。別の安全衣類１６のアクチュエータユニット７０は、危険状況の認識の結果として着用者に能動的に働きかけるために少なくとも意図される。別の安全衣類１６のアクチュエータユニット７０は、別の安全衣類１６が作業上着として構成されている場合、たとえば作業上着として構成された別の安全衣類１６の袖に配置される。別の安全衣類１６のアクチュエータユニット７０は、たとえばスマートマテリアルとして素材へ直接統合されていてよく、あるいは別の安全衣類１６のアクチュエータユニット７０は、別の安全衣類１６へ取外し可能なように配置可能である。安全衣類１０のアクチュエータユニット２８の能動的な働きかけにより、および／または別の安全衣類１６のアクチュエータユニット７０の働きかけにより、危険状況が認識されたときに安全衣類１０および／または別の安全衣類１６の着用者の動きを惹起可能であり、それが安全衣類１０および／または別の安全衣類１６の着用者の危険状況に対する防御を可能にし、特に、安全衣類１０および／または別の安全衣類１６の着用者の危険状況から外に出る動きを可能にする。安全衣類１０のセンサユニット１２は少なくとも１つのポジションセンサ素子４０を有しており、外部ユニット１８は、ポジションセンサ素子４０により検出されたポジション特性量に少なくとも依存して安全衣類の着用者の危険状況を少なくとも評価するために意図される、少なくとも１つの危険認識機能を有している。
【００５３】
さらに安全衣類１０は、作業領域を照明するための少なくとも１つの照明ユニット３０を含んでおり、照明ユニット３０は、少なくとも検出された操作者固有の特性量に依存して、検出された環境固有の特性量に依存して、および／または安全衣類１０の通信ユニット１４により受信されたデータに依存して制御可能である（図５）。さらに安全衣類１０は、少なくとも１つの情報を地面へ投影するために意図される少なくとも１つの投影ユニット３２を含んでおり、安全衣類１０の投影ユニット３２は、少なくとも検出された操作者固有の特性量に依存して、検出された環境固有の特性量に依存して、および／または安全衣類１０の通信ユニット１４により受信されたデータに依存して制御可能である（図５）。
【００５４】
さらに安全衣類１０は、安全衣類１０のセンサユニット１２および通信ユニット１４に外部ユニット１８の取扱に依存して、特に手動工作機械の取扱に依存してエネルギーを供給するために意図される少なくとも１つのエネルギー供給ユニット３６を含んでいる。外部ユニット１８が手動工作機械として構成されている場合、エネルギー供給ユニット３６は、手動工作機械と、特にエネルギー供給ユニットと、および／または手動工作機械のエネルギー蓄積ユニットと接続されるために意図される、少なくとも１つの接続部材（ここには詳しくは図示せず）を有することが考えられる。このとき接続部材はケーブル式に、たとえば電流ケーブルなどとして、またはケーブルレス式に、たとえば一次コイル、ＮＦＣなどとして構成されていてよい。
【００５５】
安全システム３８は、安全衣類１０および別の安全衣類１６に追加して、作業ズボン５４として構成された少なくとも１つの追加の安全衣類、安全手袋５６として構成された追加の安全衣類、安全靴５８として構成された追加の安全衣類、および／または安全眼鏡６０として構成された追加の安全衣類を含んでいる（図１）。安全システム３８のすべての安全衣類が、それぞれ相互に通信をするための少なくとも１つの通信ユニット、および／または少なくとも１つの操作者固有の特性量および／または少なくとも１つの環境固有の特性量を検出するための少なくとも１つのセンサユニットを有するのが好ましい。安全システム３８のすべての安全衣類の電子データの相互交換を具体化可能であるのが好ましく、データはたとえば評価、警告、制御、および／またはその他の機能の利用のために考えられる。安全システム３８のすべての安全衣類が、安全ヘルメットとして構成された安全衣類１０も有するすべてのユニットを有するのが好ましい。安全システム３８を作動させる方法は、個々の安全衣類相互の、および／または外部ユニット１８との、少なくとも半自動的な少なくとも１つの通信を含んでいる。別の方法ステップで、安全システム３８の機能の少なくとも半自動的な制御が、特に検出された特性量に依存して行われるのが好ましい。安全システム３８を作動させる方法のその他の方法ステップに関しては、安全システム３８および／または安全衣類１０の説明を参照することができる。この説明は方法にも準用して読むことができ、したがって安全システム３８および／または安全衣類１０のすべての構成要件が、安全システム３８を作動させる方法に関しても開示されているとみなされるからである。
【００５６】
図４は、安全眼鏡６０として構成された安全システム３８の追加の安全衣類の詳細図を示している。安全眼鏡６０として構成された追加の安全衣類は、安全ヘルメットとして構成された安全衣類１０も有するすべてのユニットを有しているのが好ましい。安全眼鏡６０として構成された追加の安全衣類は、少なくとも１つの検出された操作者固有の特性量に依存して、少なくとも１つの検出された環境固有の特性量に依存して、および／または安全眼鏡６０として構成された追加の安全衣類の通信ユニット７４により受信されたデータに依存して情報を出力するために意図される、少なくとも１つの出力ユニット７２を含んでいる。安全眼鏡６０として構成された追加の安全衣類の出力ユニット７２は、そのために少なくとも１つの光学式の出力部材７６を含んでいる。安全眼鏡６０として構成された追加の安全衣類の光学式の出力部材７６は、ディスプレイとして構成されるのが好ましい。安全眼鏡６０として構成された追加の安全衣類の光学式の出力部材７６は、安全眼鏡６０として構成された追加の安全衣類の少なくとも１つの眼鏡ガラス部材７８に統合されている。さらに、安全眼鏡６０として構成された追加の安全衣類の光学式の出力部材７６は、任意選択で、特に必要時にのみ、スイッチオン可能であることが考えられる。安全眼鏡６０として構成された追加の安全衣類の光学式の出力部材７６は、必要があるときだけ、または安全眼鏡６０として構成された追加の安全衣類の着用者が、安全眼鏡６０として構成された追加の安全衣類の光学式の出力部材７６を作動化させたときだけ、眼鏡ガラス部材７８で見ることが可能になる。しかしながら、安全眼鏡６０として構成された追加の安全衣類の光学式の出力部材７６が眼鏡ガラス部材７８から切り離されて構成され、別個の部材として安全眼鏡６０として構成された追加の安全衣類に配置され、特に、安全眼鏡６０として構成された追加の安全衣類に可動に配置され、特に、必要時に安全眼鏡６０として構成された追加の安全衣類の着用者の視界領域に入るように可動であることも考えられる。
【００５７】
図６は、安全手袋５６として構成された安全システム３８の追加の安全衣類の詳細図を示している。安全手袋５６として構成された追加の安全衣類は、安全ヘルメットとして構成された安全衣類１０も有するすべてのユニットを有しているのが好ましい。安全手袋５６として構成された追加の安全衣類は、少なくとも部分的に一体的に構成された、少なくとも１つの出力ユニット８０と照明ユニット８２とを有している。このとき、組み込まれた光導波路部材８４、特にガラスファイバが、たとえば安全手袋５６の状態、警告表示、外部ユニット１８の動作モード／状態などに関して光学的なフィードバックを可能化するために設けられることが考えられる。光導波路部材８４は、たとえば安全手袋５６の手の甲の領域で、安全手袋５６の個々の指領域を経由して安全手袋５６の指先領域まで延びることができる。安全手袋５６の指先領域では、光導波路部材８４は照明のための照明部材として意図されていてよい。さらに、安全手袋５６として構成された追加の安全衣類の出力ユニット８０は、たとえば安全手袋５６の指先領域に配置された振動部材を含んでいることが考えられる。それにより、追加のフィードバック手段を実現できるという利点がある。
【００５８】
さらに、安全手袋５６として構成された追加の安全衣類は少なくとも１つの入力ユニット８６を含んでいる。安全手袋５６として構成された追加の安全衣類の入力ユニット８６は、たとえば安全手袋５６の指先領域に配置された入力部材８８、特に圧力感度のあるセンサを含んでいる。このとき、たとえば特定の運動パターンまたは特定の圧力パターンをコマンドとして解釈可能であることが考えられる。さらに、安全手袋５６の個々の指先領域の動きを、たとえば安全ヘルメットとして構成された安全衣類１０のジェスチャー制御機能によるジェスチャー制御のために解釈可能である。さらに、安全手袋５６により、特に安全ヘルメットとして構成された安全衣類１０のセンサユニット１２との組合せで、指、特に親指と人差し指の開きによって距離を示すことで間隔の測定を具体化可能であることが考えられ、測定値を安全システム３８の出力ユニットにより出力可能である。さらに、安全手袋５６として構成された追加の安全衣類が壁スキャン機能を有していることが考えられ、壁で検知された部材を安全システム３８の出力ユニットにより出力可能である。安全システム３８の個々の安全衣類および／または安全システム３８そのものの、当業者に有意義と思われるその他の機能も同じく考えられる。
【００５９】
さらに、安全手袋５６として構成された追加の安全衣類は、外部ユニット１８の、特に手動工作機械の取扱に依存して電気エネルギー供給部にエネルギーを供給するために意図される、少なくとも１つのエネルギー供給ユニット９０を含んでいる。外部ユニット１８を把持する結果としてケーブルレス式の、特に誘導式のエネルギー伝送が可能となる。
【００６０】
図７は、安全システム３８で目防護装置９２として構成された安全衣類の用途の模式図を示している。目防護装置９２は安全眼鏡として構成されている。しかしながら目防護装置９２が、安全ヘルメットに可動に支承された、または操作者の頭部に特に保持ベルトなどによって個々に配置可能な、安全バイザーとして構成されることも考えられる。目防護装置９２は安全システム３８での利用のために意図される。しかしながら、目防護装置９２を安全システム３８から独立して利用可能であることも考えられる。目防護装置９２は、少なくとも１つの通信ユニット９４を電子データの交換のために含んでいる。通信ユニット９４は少なくとも１つの手動工作機械９８との通信のために意図される。通信ユニット９４は、特に追加的に、手動工作機械９８とは相違する外部ユニット１８との通信のために意図される。通信ユニット９４は、モバイルデバイスと電子データを交換するために、モバイルデバイスとして構成された外部ユニット１８と少なくとも通信するために意図される。特に、モバイルデバイスはスマートフォンとして構成される。たとえばＳＭＳのようなショートメッセージを受け取った呼出の出力を可能にできるという利点がある。
【００６１】
通信ユニット９４は、充電装置により充電可能な少なくとも１つの蓄電池の少なくとも１つの充電特性量を受信するために、充電装置として構成された外部ユニット１８と少なくとも通信するために意図される。充電特性量は充電状態、残り充電時間、充電容量、充電電圧などとして構成されていてよい。
【００６２】
目防護装置９２は、通信ユニット９４により受信されたデータに依存して情報を出力するために意図される少なくとも１つの出力ユニット９６を有している。出力ユニット９６は触覚式、音響式、および／または光学式の出力ユニットとして構成されていてよい。出力ユニット９６は、目防護装置９２の制御ユニットおよび／または調節ユニット（ここには詳しくは図示せず）により制御可能および／または調節可能であるのが好ましい。出力ユニット９６は、通信ユニット９４により受信されたデータに少なくとも依存する作業指図を、特に光学式および／または音響式の作業指図を、出力するために意図されるのが好ましい。
【００６３】
出力ユニット９６は、目防護装置９２に、特に目防護装置９２のフレームユニットまたは防護ガラスユニットに配置された、少なくとも１つの出力部材１００を含んでいるのが好ましい。図７では、出力部材１００がより良い図解のために目防護装置９２と別個に追加して図示されている。出力部材１００は、少なくとも１つの情報を出力するために意図される。出力部材１００は眼鏡ガラスへ統合されていてよく、フレームユニットなどに可動に支承されていてよい。さらに、出力部材１００は任意選択で、特に必要時にのみ、スイッチオン可能であることが考えられる。出力部材１００は、たとえば必要があるときにだけ、または目防護装置９２の着用者が出力部材１００を作動化させたときにだけ、目防護装置９２の眼鏡ガラスで目に見えるようになる。しかしながら、目防護装置９２の出力部材１００が目防護装置９２の眼鏡ガラスから切り離されて構成され、別個の部材として目防護装置９２に配置され、特に目防護装置９２に可動に配置され、特に、必要時に目防護装置９２の着用者の視界領域に入るように可動であることも考えられる。出力部材１００は光学式の出力部材として構成されている。出力部材１００はディスプレイとして構成されるのが好ましい。しかしながら、出力部材１００がその代替または追加として音響式の出力部材として構成されることも考えられる。
【００６４】
目防護装置９２は通信ユニット９４に追加して、センサユニット１０２を有することができる。センサユニット１０２は、安全衣類１０のセンサユニット１２と少なくとも実質的に同様の構成を有することができる。目防護装置９２のセンサユニット１０２は、目防護装置９２の着用者の少なくとも１つの目特性量を検出するために意図される少なくとも１つの目センサ素子（ここには詳しくは図示せず）を有しており、目特性量を目防護装置９２の制御ユニットおよび／または調節ユニットにより処理可能であり、および／または通信ユニット９４により手動工作機械９８および／または外部ユニット１８へ伝送可能である。目センサ素子は、目防護装置９２の着用者の少なくとも１つの目の状態（開、閉、まばたきの速度など）として構成される目特性量を、または目防護装置９２の着用者の目の視線方向として構成される目特性量を検出するために少なくとも意図されるのが好ましい。しかしながら目センサ素子はその代替または追加として、当業者に有意義と思われるその他の、またはさらに別の目特性量を検出するために意図されることも考えられる。目防護装置９２の着用者の注意力を推定可能であるという利点がある。たとえば着用者が加工されるべき工作物および／または手動工作機械９８から離れるほうを向く視線を有していることを認識可能だからである。検出された目特性量に依存して、手動工作機械９８の安全停止を開始可能であることが考えられる。さらに、検出された目特性量に依存して、着用者の過度の疲労の認識を実現可能であるのが好ましい。警告信号を出力することができるという利点がある。
【００６５】
目防護装置９２のさまざまなユニットへエネルギー供給をするために、目防護装置９２は特にエネルギー供給ユニット（ここには詳しくは図示せず）を含んでいる。目防護装置９２のエネルギー供給ユニットは、蓄電池として構成されるのが好ましい。目防護装置９２は、エネルギー供給ユニットを再充電するために、無接触式および／またはケーブル式の充電接続ユニットを有することができる。
【００６６】
目防護装置９２は、すでに説明した目防護装置９２の各ユニットに追加してさらに別のユニットを含むことができ、それらについては、本明細書に掲げた安全衣類に関してすでに説明したとおりである。
【符号の説明】
【００６７】
１０  安全衣類
１２  センサユニット
１４  通信ユニット
１６  別の安全衣類
１８  外部ユニット
２０  出力ユニット
２２  評価ユニット
２４  環境検出センサ素子
２６  入力ユニット
２８  アクチュエータユニット
３０  照明ユニット
３２  投影ユニット
３４  目センサ素子
３６  エネルギー供給ユニット
４０  ポジションセンサ素子
９４  通信ユニット
９６  出力ユニット
【図１】
2018502998.tif 000003
【図２】
2018502998.tif 000004
【図３】
2018502998.tif 000005
【図４】
2018502998.tif 000006
【図５】
2018502998.tif 000007
【図６】
2018502998.tif 000008
【図７】
2018502998.tif 000009
【手続補正書】
【提出日】平成29年4月17日(2017.4.17)
【手続補正２】
【補正対象書類名】明細書
【補正対象項目名】０００６
【補正方法】変更
【補正の内容】
【０００６】
通信ユニットは、ケーブルレス式の通信ユニットとして構成されるのが好ましい。このとき通信ユニットはＷＬＡＮ通信ユニット、ブルートゥース（登録商標）通信ユニット、無線通信ユニット、ＲＦＩＤ通信ユニット、ＮＦＣユニット、赤外通信ユニット、移動無線網通信ユニット、Ｚｉｇｂｅｅ通信ユニットなどとして構成されていてよい。通信ユニットは、双方向データ伝送のために意図されるのが特別に好ましい。別案の実施形態では、通信ユニットはケーブル式の通信ユニットとして構成され、たとえばＬＡＮ通信ユニット、ＵＳＢ通信ユニット、Ｐｏｗｅｒｌｉｎｅ通信ユニット、ＣＡＮ−Ｂｕｓ通信ユニット、イーサネット（登録商標）通信ユニット、ツイストペアケーブル通信ユニット（ＣＡＴ５またはＣＡＴ６）などとして構成される。しかしながら、通信ユニットがケーブルレス式またはケーブル式の通信の代替として、ケーブルレス式およびケーブル式の通信をするために意図されることも考えられる。「伝送する」という概念は、ここでは特にデータの、特に電子データの、送信および／または受信を定義するものとする。
【手続補正３】
【補正対象書類名】明細書
【補正対象項目名】０００９
【補正方法】変更
【補正の内容】
【０００９】
安全衣類と外部ユニットとの間の、特に中央から制御することができる室内に固定的に設置された使用場所の同期化ユニットとして構成される外部ユニットとの通信により、作業エリアを一緒に考慮可能であるのが好ましい。作業エリアは特に建築物、敷地、空間、建設現場などで成り立っている。このような作業エリアは、ファシリティマネジメント（ＦＣＭ）により管理可能、および／または会社指令センターにより監視可能であるのが好ましい。このとき特に産業上で利用される作業エリアで地域依存的な規則や資格、たとえば作業安全性に関わる規則などを策定可能である。そのようにして、危険の程度に依存して作業エリアの下位区分を実行可能であり、作業エリアの個々の部分領域に、たとえば相応の防護装備品の着用、アクセス資格の規定、拡張された職業教育の存在／作業安全性設定の遵守に関する指示などの対応する規則や資格を割当可能である。このとき本発明に基づく構成により、こうした規則や資格の自動的なチェックを具体化可能であるという利点がある。そのようにして作業エリア内の危険領域を指定し、アクセス資格や特定の作業の実施、あるいは事前に定められた工具および／または工作機械による作業の実施などを、着用されている安全衣類に依存して認めることができるという利点がある。さらにスマートフォンが、安全衣類の通信ユニットと外部ユニットのさまざまなネットワーク技術との間の「ルーター」および／または中継個所として意図されることが考えられる。このとき、個別的に適合化された会社スマートフォンの使用が非常に好ましい。通常、スマートフォンはたとえばブルートゥース（登録商標）やＮＦＣのような普及した近距離無線標準と、たとえばＷＬＡＮ，ＵＭＴＳ，ＧＳＭ（登録商標），ＬＴＥなどの到達距離の大きい無線標準とを装備している。したがって本発明に基づく構成により、特にセンターからの、快適な特性量の設定を行うことができるという利点がある。さらには一人監視を可能にできるという利点があり、それにより、会社センターは安全衣類の着用者の状態に関して、および特に場合により生じる危険状況に関して情報を得ることができるという利点がある。このように、安全衣類の着用者にとって高い程度の安全性を保証できるという利点がある。
【手続補正４】
【補正対象書類名】明細書
【補正対象項目名】００４７
【補正方法】変更
【補正の内容】
【００４７】
さらに安全衣類１０の出力ユニット２０は、少なくとも１つの音響式の出力部材５２を含んでいる。音響式の出力部材５２はスピーカとして構成される。音響式の出力部材５２は、安全衣類１０が安全ヘルメットとして構成されている場合、安全ヘルメットの耳防護領域に統合される。しかしながら、音響式の出力部材５２が安全衣類１０から、特に安全ヘルメットから切り離されて構成されて、たとえば安全衣類１０に、特に安全ヘルメットに配置可能である、特に安全ヘルメットに可動に配置可能であるヘッドホンとして構成されることも考えられる。さらに、安全衣類１０の出力ユニット２０は、触覚式の出力部材として、たとえば振動励起器として構成された少なくとも１つの別の出力部材を有することが考えられる。安全衣類１０の出力ユニット２０により、安全衣類１０の通信ユニット１４により受信されたデータに少なくとも依存する作業指図を少なくとも出力可能である。さらに安全衣類１０の出力ユニット２０により、安全衣類１０のセンサユニット１２により検出された少なくとも１つの特性量に少なくとも依存する情報を出力可能である。このとき、たとえばセンサユニット１２のセンサ素子により、特に騒音センサ素子により、騒音レベルを検出可能であることが考えられる。このような騒音レベルは、たとえば安全衣類１０の評価ユニット２２によって評価可能である（図５）。騒音レベル限界値の超過を確認可能であれば、安全衣類１０の出力ユニット２０によってたとえば相応の情報を、特に警告信号および／または警告記号を出力可能である。さらに、当業者に有意義と思われるその他の特性量を安全衣類１０のセンサユニット１２により検出可能であることが考えられ、これを安全衣類１０の評価ユニット２２により評価可能であり、相応の情報を安全衣類１０の出力ユニット２０により出力可能である。このとき、たとえば環境明度、安全衣類１０の状態の現況、放射能の存在、酸、ガス、ダスト負荷等、環境温度、地面状態、電圧の印加、たとえば姿勢不良や大きすぎる荷重の持ち上げなどによる安全衣類１０の着用者の過負荷、歩数、安全衣類１０の着用者の重量、安全衣類１０の着用者の１日の生産量、作業エリアの領域および／または空間へのアクセス資格、消費カロリーなどの検出を、安全衣類１０のセンサユニット１２により行うことができる。検出された特性量を安全衣類１０の評価ユニット２２により評価可能であり、相応の情報を安全衣類１０の出力ユニット２０により出力可能である。
【手続補正５】
【補正対象書類名】特許請求の範囲
【補正対象項目名】全文
【補正方法】変更
【補正の内容】
【特許請求の範囲】
【請求項１】
少なくとも１つの操作者固有の特性量および／または少なくとも１つの環境固有の特性量を検出するための少なくとも１つのセンサユニット（１２）を有する安全衣類において、少なくとも１つの通信ユニット（１４）を有しており、該通信ユニットにより、検出された操作者固有の特性量および／または検出された環境固有の特性量を少なくとも１つの別の安全衣類（１６）へ当該別の安全衣類（１６）との通信のために伝送可能であることを特徴とする安全衣類。
【請求項２】
前記通信ユニット（１４）は安全衣類とは別様に構成された外部ユニット（１８）と電子データの交換のために通信するために意図されることを特徴とする、請求項１に記載の安全衣類。
【請求項３】
検出された操作者固有の特性量に依存して、検出された環境固有の特性量に依存して、および／または前記通信ユニット（１４）により受信されたデータに依存して情報を出力するために意図される少なくとも１つの出力ユニット（２０）を有していることを特徴とする、請求項１または２に記載の安全衣類。
【請求項４】
前記出力ユニット（２０）により、前記通信ユニット（１４）により受信されたデータに少なくとも依存する作業指図を少なくとも出力可能であることを特徴とする、請求項３に記載の安全衣類。
【請求項５】
別の安全衣類（１６）との通信に少なくとも依存して安全衣類組合せを評価するために意図される少なくとも１つの評価ユニット（２２）を有していることを特徴とする、請求項１から４のいずれか１項に記載の安全衣類。
【請求項６】
前記センサユニット（１２）の環境検出センサ素子（２４）に少なくとも依存して、検出された環境を作業指図の可能化のために評価するために意図される少なくとも１つの評価ユニット（２２）を有していることを特徴とする、請求項１から５のいずれか１項に記載の安全衣類。
【請求項７】
少なくとも操作者固有の制御コマンドを入力するための少なくとも１つの入力ユニット（２６）を有しており、操作者固有の制御コマンドは外部ユニット（１８）を制御するために前記通信ユニット（１４）によって前記外部ユニット（１８）へ伝送可能であることを特徴とする、請求項１から６のいずれか１項に記載の安全衣類。
【請求項８】
前記入力ユニット（２６）は少なくとも１つのジェスチャー制御機能および／または音声制御機能を有していることを特徴とする、請求項７に記載の安全衣類。
【請求項９】
少なくとも検出された操作者固有の特性量に依存して、検出された環境固有の特性量に依存して、および／または前記通信ユニット（１４）により受信されたデータに依存して制御可能な少なくとも１つのアクチュエータユニット（２８）を有していることを特徴とする、請求項１から８のいずれか１項に記載の安全衣類。
【請求項１０】
前記アクチュエータユニット（２８）は危険状況の認識の結果として着用者へ能動的に働きかけるために少なくとも意図されることを特徴とする、請求項９に記載の安全衣類。
【請求項１１】
作業領域を照明するための少なくとも１つの照明ユニット（３０）を有しており、前記照明ユニット（３０）は少なくとも検出された操作者固有の特性量に依存して、検出された環境固有の特性量に依存して、および／または前記通信ユニット（１４）により受信されたデータに依存して制御可能であることを特徴とする、請求項１から１０のいずれか１項に記載の安全衣類。
【請求項１２】
少なくとも１つの情報を地面へ投影するために意図される少なくとも１つの投影ユニット（３２）を有しており、前記投影ユニット（３２）は少なくとも検出された操作者固有の特性量に依存して、検出された環境固有の特性量に依存して、および／または前記通信ユニット（１４）により受信されたデータに依存して制御可能であることを特徴とする、請求項１から１１のいずれか１項に記載の安全衣類。
【請求項１３】
前記センサユニット（１２）は着用者の少なくとも１つの目特性量を検出するために意図される少なくとも１つの目センサ素子（３４）を有しており、目特性量は前記通信ユニット（１４）により別の安全衣類（１６）および／または外部ユニット（１８）へ伝送可能であることを特徴とする、請求項１から１２のいずれか１項に記載の安全衣類。
【請求項１４】
外部ユニット（１８）の取扱に依存して少なくとも前記センサユニット（１２）および前記通信ユニット（１４）にエネルギーを供給するために意図される少なくとも１つのエネルギー供給ユニット（３６）を有していることを特徴とする、請求項１から１３のいずれか１項に記載の安全衣類。
【請求項１５】
請求項１から１４のいずれか１項に記載の少なくとも１つの安全衣類、および少なくとも１つの別の安全衣類（１６）を有している安全システム。
【請求項１６】
請求項１から１４のいずれか１項に記載の少なくとも１つの安全衣類、および少なくとも１つの別の安全衣類（１６）、および安全衣類が電子データの交換のために安全衣類の通信ユニット（１４）によって通信する少なくとも１つの外部ユニット（１８）を有している安全システム。
【請求項１７】
安全衣類の前記センサユニット（１２）は少なくとも１つのポジションセンサ素子（４０）を有しており、前記外部ユニット（１８）は前記ポジションセンサ素子（４０）により検出されるポジション特性量に少なくとも依存して安全衣類の着用者の危険状況を少なくとも評価するために意図される少なくとも１つの危険認識機能を有していることを特徴とする、請求項１６に記載の安全システム。
【請求項１８】
少なくとも１つの前記外部ユニット（１８）は、作業領域や空間への安全衣類および／または別の安全衣類（１６）の着用者のアクセスを監視し、解放し、または封鎖するために意図される少なくとも１つのアクセスコントロール機能を有していることを特徴とする、請求項１６または１７に記載の安全システム。
【請求項１９】
少なくとも１つの前記外部ユニット（１８）は、安全規則および／または操業領域規則に依存して作業領域上および／または作業出動上の安全衣類組合せを監視するために意図される少なくとも１つの衣類監視機能を有していることを特徴とする、請求項１６から１８のいずれか１項に記載の安全システム。
【請求項２０】
少なくとも１つの前記外部ユニット（１８）は手動工作機械または会社センターとして構成されることを特徴とする、請求項１６から１９のいずれか１項に記載の安全システム。
【請求項２１】
請求項１５から２０のいずれか１項に記載の安全システムで使用するための目防護装置であって、少なくとも１つの手動工作機械と通信するために意図される、電子データを交換するための少なくとも１つの通信ユニット（９４）と、前記通信ユニット（９４）により受信されたデータに依存して情報を出力するために意図される少なくとも１つの出力ユニット（９６）とを有している、そのような目防護装置において、前記通信ユニット（９４）は手動工作機械とは相違する外部ユニット（１８）と少なくとも通信するために意図されることを特徴とする目防護装置。
【請求項２２】
前記通信ユニット（９４）は、モバイルデバイスと電子データを交換するために、モバイルデバイスとして構成された外部ユニット（１８）と通信するために少なくとも意図されることを特徴とする、請求項２１に記載の目防護装置。
【請求項２３】
前記通信ユニット（９４）は、充電装置により充電可能な少なくとも１つの蓄電池の少なくとも１つの充電特性量を受信するために、充電装置として構成された外部ユニット（１８）と通信するために少なくとも意図されることを特徴とする、請求項２１または２２に記載の目防護装置。
【請求項２４】
前記通信ユニット（９４）は、少なくともプロジェクトデータを受信するために、会社センターとして構成される外部ユニット（１８）と通信するために少なくとも意図されることを特徴とする、請求項２１から２３のいずれか１項に記載の目防護装置。
【請求項２５】
請求項１５から２０のいずれか１項に記載の安全システムを作動させる方法。

【国際調査報告】
2018502998.tif 000010
2018502998.tif 000011
2018502998.tif 000012
2018502998.tif 000013
2018502998.tif 000014
2018502998.tif 000015